(57)【要約】【課題】  液化ガスの持つ冷熱を適切に活用して、燃焼用空気の温度を低下させ、ガスタービン発電機の出力を維持するようにした液化ガスの気化システム及び液化ガスの気化方法を提供する。【解決手段】  冷熱を要する対象物に対し、液化ガスから必要な冷熱量を冷媒を介して供給する冷媒冷却装置５と、前記液化ガスを気化するために、残冷熱を熱交換させるための前記冷媒冷却装置５に対し並設した熱交換器２とを備えることとした。【選択図】  図１
2015064050.tif 000002
【特許請求の範囲】
【請求項１】
冷熱を要する対象物に対し、液化ガスから必要な冷熱量を冷媒を介して供給する冷媒冷却装置と、前記液化ガスを気化するために、残冷熱を熱交換させるための前記冷媒冷却装置に対し並設した熱交換器とを備えたことを特徴とする液化ガスの気化システム。
【請求項２】
前記対象物をガスタービンの燃焼用空気としたことを特徴とする請求項１の液化ガスの気化システム。
【請求項３】
前記液化ガスがＬＮＧ（液化天然ガス）であることを特徴とする請求項１又は２の液化ガスの気化システム。
【請求項４】
前記冷媒冷却装置が、シェルアンドチューブ型の熱交換器で冷媒により液化ガスとの熱交換を行い、冷媒を別途の熱交換器に送り、前記対象物と冷媒との間で熱交換を行うようにしたことを特徴とする請求項１〜３のいずれかの液化ガスの気化システム。
【請求項５】
前記冷媒がＨＦＣ−２３、ＨＣＦＣ−２２、ＨＣＦＣ−１２４、ＨＦＣ−１３４ａ、ＨＦＣ−３２及びそれらの混合物から成る群から選ばれた少なくとも一の溶媒であることを特徴とする請求項１〜４のいずれかの液化ガスの気化システム。
【請求項６】
冷熱を要する対象物に対し、冷媒冷却装置によって、液化ガスから必要な冷熱量を冷媒を介して供給し、前記冷媒冷却装置に対し並設した熱交換器により、前記液化ガスを気化するために、残冷熱を熱交換させることを特徴とする液化ガスの気化方法。
【請求項７】
前記対象物をガスタービンの燃焼用空気としたことを特徴とする請求項６の液化ガスの気化方法。
【請求項８】
前記液化ガスがＬＮＧ（液化天然ガス）であることを特徴とする請求項６又は７の液化ガスの気化方法。
【請求項９】
前記冷媒冷却装置が、シェルアンドチューブ型の熱交換器で冷媒により液化ガスとの熱交換を行い、冷媒を別途の熱交換器に送り、前記対象物と冷媒との間で熱交換を行うようにしたことを特徴とする請求項６〜８のいずれかの液化ガスの気化方法。
【請求項１０】
前記冷媒がＨＦＣ−２３、ＨＣＦＣ−２２、ＨＣＦＣ−１２４、ＨＦＣ−１３４ａ、ＨＦＣ−３２及びそれらの混合物から成る群から選ばれた少なくとも一の溶媒であることを特徴とする請求項６〜９のいずれかの液化ガスの気化方法。
【発明の詳細な説明】
【技術分野】
【０００１】
本発明は、液化ガスの気化システム及び液化ガスの気化方法に関する。
【背景技術】
【０００２】
ガスタービン発電機では、燃焼器に燃料ガスと燃焼用空気とを供給し、燃料ガスを燃焼させて、得られる高温ガスをタービンに供給し、タービンを回転させる。タービンの回転駆動力によって発電機を回転駆動し、電力を発生させるとともに、空気圧縮機を回転駆動し、燃焼用空気を圧縮するようにしている。
ここで、季節による気温の変動によって、燃焼用空気の温度が上昇すると、その密度が低下する。これによって、燃焼器における燃焼効率が悪化し、ガスタービン発電機の出力が低下する。
そこで、燃焼用空気の温度を低下させ、ガスタービン発電機の出力を維持する工夫が必要となる。
【０００３】
燃料ガスとして、ＬＮＧ（液化天然ガス）を用いる場合、ＬＮＧの持つ冷熱を利用して燃焼用空気の温度を低下させることも考えられる。すなわち、液化ガスの気化システムを利用して、燃焼用空気の温度を低下させることに関しては、本出願人らの先行する技術（特許文献１）等がある。
しかし、ＬＮＧの温度が低いことに起因して、燃焼用空気に含まれる水分が氷結してしまうといったハンドリング上の問題があり、かつ、ＬＮＧを冷熱を利用する際には、高温で稼働するガスタービン付近まで可燃性のＬＮＧを引き回すことは極力回避すべきであり、さらなる改善が望まれている。
【先行技術文献】
【特許文献】
【０００４】
【特許文献１】特許第３７０６４３６号
【発明の概要】
【発明が解決しようとする課題】
【０００５】
前記事情に対して、本発明は、液化ガスの持つ冷熱を適切に活用して、燃焼用空気の温度を低下させ、ガスタービン発電機の出力を維持するようにした液化ガスの気化システム及び液化ガスの気化方法を提供することを目的とする。
【課題を解決するための手段】
【０００６】
前記目的を達成するため、本発明に係る液化ガスの気化システムは、冷熱を要する対象物に対し、液化ガスから必要な冷熱量を冷媒を介して供給する冷媒冷却装置と、前記液化ガスを気化するために、残冷熱を熱交換させるための前記冷媒冷却装置に対し並設した熱交換器とを備えたことを特徴とする。
【０００７】
前記、目的に照らして、前記対象物として好適なものはガスタービンの燃焼用空気である。もっともガスタービンの燃焼用空気だけではなく、例えば、水産品の貯蔵施設、エアコン、ドライアイス製造施設等の他の冷熱を必要とする施設で、一般的な冷却器といったものを対象物とすることもできる。
【０００８】
冷媒冷却装置としては、シェルアンドチューブ型の熱交換器で冷媒により液化ガスとの熱交換を行い、冷媒を別途の熱交換器に送り、前記対象物と冷媒との間で熱交換を行うといった構成のものを採用することができる。
【０００９】
ここで冷媒としては、不燃性で凝固点が低く且つ熱伝導率の高い液体が好ましい。このような冷媒としては、ハイドロフロロカーボン（ＨＦＣ）類、ハイドロクロロフロロカーボン（ＨＣＦＣ）類、特にＨＦＣ−２３、ＨＣＦＣ−２２、ＨＣＦＣ−１２４、ＨＦＣ−１３４ａ、ＨＦＣ−３２又はそれらの混合物が挙げられる。
【００１０】
本発明は、別の側面で、液化ガスの気化方法であり、冷熱を要する対象物に対し、冷媒冷却装置によって、液化ガスから必要な冷熱量を冷媒を介して供給し、前記冷媒冷却装置に対し並設した熱交換器により、前記液化ガスを気化するために、残冷熱を熱交換させることを特徴とする。
【発明の効果】
【００１１】
本発明によれば、液化ガスの持つ冷熱を適切に活用して、燃焼用空気の温度を低下させ、ガスタービン発電機の出力を維持するようにした液化ガスの気化システム及び液化ガスの気化方法が提供される。
【図面の簡単な説明】
【００１２】
【図１】本発明に係る液化ガスの気化システムについて、一実施の形態を説明する概念図である。
【発明を実施するための形態】
【００１３】
以下、本発明に係る液化ガスの気化システム及び液化ガスの気化方法について、添付図面に示した実施の形態を参照しながら、さらに詳細に説明する。
【００１４】
図１は、本発明に係る液化ガスの気化システムについて、一実施の形態を示す。本実施の形態は、ＬＮＧを液化する気化システムであり、冷熱を要する対象物は、ガスタービンに供給される燃焼用空気である。
本実施の形態の気化システムでは、シェルアンドチューブ型の熱交換器１を、オープンラック式の気化器（ＯＲＶ、Open-Rack-type Vaporizer）２に対し、並設している。熱交換器３は、冷媒と燃焼用空気との間で熱交換を行うためのものである。なお、「並設」とは、ＬＮＧの流れ方向で見て互いに並列に設けるという意味である。
【００１５】
熱交換器１と、熱交換器３と、冷媒タンク４とは、冷媒冷却装置５の主要な機器を構成する。
シェルアンドチューブ型の熱交換器１は、ＬＮＧが流れ込む上流ヘッダと、上流ヘッダに接続され並列に複数設けられた伝熱管と、伝熱管を通過し、気化したＬＮＧが流れ込む下流ヘッダとを備えている。伝熱管は、熱交換器１の胴体（通常は円筒状）によって囲まれた冷媒室を貫通するようになっている。冷媒室には、冷媒が流れる。
【００１６】
冷媒としては、凝固点が低く且つ熱伝導率の高い液体が好ましい。このような冷媒としては、ハイドロフロロカーボン（ＨＦＣ）類、ハイドロクロロフロロカーボン（ＨＣＦＣ）類、特にＨＦＣ−２３、ＨＣＦＣ−２２、ＨＣＦＣ−１２４、ＨＦＣ−１３４ａ、ＨＦＣ−３２又はそれらの混合物が挙げられる。
【００１７】
熱交換器１には、ＬＮＧ流入ライン６から分岐したライン７からＬＮＧが流れ込むようになっている。前述のように、ＬＮＧは、熱交換器１の上流ヘッダに流れ込む。
熱交換器１の下流ヘッダからは、気化したＬＮＧすなわち、ＮＧ（天然ガス）がライン８へ流れ出る。
【００１８】
一方、熱交換器１には、ライン９から冷媒の蒸気が冷媒室に流れ込むように構成されている。流れ込んだ冷媒蒸気は、冷媒室で伝熱管を流れるＬＮＧから冷熱を受け、液化する。液化した冷媒は、熱交換器１からライン１０に流れ、冷媒タンク４に貯留される。
【００１９】
冷媒タンク４からの冷媒は、底部からライン１１に流れ、送出ポンプ１２によって、ライン１３を経て熱交換器３に供給される。ライン１３は、ライン１４に分岐する。
【００２０】
熱交換器３は、冷媒と、燃焼用ガスとが向流式に熱交換する構成となっている。
熱交換器３には、ガスタービンの燃焼用空気がライン１５から流入し、ライン１６から流れ出るようになっている。ライン１５は、ライン１７に分岐する。
【００２１】
気化器２は、オープンラック式に構成されている。本実施の形態では、パネル状に並べた複数の伝熱管を備えた構成のものである。熱源として海水を用い、大気中で海水を伝熱管の外面に散水することにより、伝熱管内部のＬＮＧを気化させる構成としている。この気化器２は、冷媒冷却装置５に並設されることにより、ＬＮＧの残冷熱を熱交換させるための熱交換器として機能する。
【００２２】
気化器２には、ライン６から分岐したライン１８からＬＮＧが供給される。気化したＬＮＧ、すなわちＮＧ（天然ガス）は、ライン１９に流れる。ライン１９は、ライン８と合流し、ライン２０となる。
【００２３】
以上の装置構成の液化ガスの気化システムについて、全体としての流れを説明することにより、本発明に係る液化ガスの気化方法の一実施の形態を説明する。
【００２４】
本実施の形態に係る液化ガスの気化方法では、貯蔵所からのＬＮＧをライン６から供給し、ライン７から熱交換器１に送り込む。ＬＮＧは、熱交換器１の上流ヘッダに流入し、並列に複数設けられた伝熱管内を流れる。伝熱管のある冷媒室内には、ライン９から冷媒蒸気が流入する。
【００２５】
ＬＮＧと、冷媒蒸気との間では熱交換が行われる。ＬＮＧは、冷媒蒸気が液化する際の潜熱を受けて気化し、ＮＧ（天然ガス）となる。逆に、冷媒蒸気は、液化する。
ＮＧは、熱交換器１の下流ヘッダからライン８へ流れ出る。
液化した冷媒は、ライン１０から冷媒タンク４に流れる。さらに冷媒は、冷媒タンク４から送出ポンプ１２によってライン１３を通して熱交換器３に流れる。
【００２６】
ここで、図示しないセンサによって冷媒の流量が監視され、図示しない制御弁の開度を調整することによって、過剰の冷媒は、ライン１４を経て冷媒タンクに戻される。また、ライン２１には図示しない圧力センサと制御弁が設置され、制御弁の開度を調整することによって、冷媒タンク４の内圧が所定の範囲に保たれる。
【００２７】
熱交換器３では、冷媒と向流する燃焼用空気がライン１５から流入し、冷媒と熱交換する。冷媒は速やかに気化し、燃焼用空気はその潜熱によって冷却され、ライン１６から流れ出る。
ライン１５からの燃焼用空気はライン１７に分岐できるようになっている。ライン１７は、ライン１６に合流し、ライン２２となる。ライン２２の温度は、図示しない温度センサによって監視され、ライン１７に設けた図示しない制御弁の開度が調整される。これによって、ライン１７に分岐する燃焼用空気の量を調整し、ライン２２からガスタービンに供給される燃焼用空気の温度を所定のものに維持する。
【００２８】
なお、ライン８には、図示のようにＬＮＧ加熱器２３を設けることができる。このＬＮＧ加熱器２３を設ける形態とした場合には、ガスタービンに送られる燃焼用空気の温度を下がり過ぎないようにコントロールすることができる。
一方、ライン１８に分岐して気化器２に供給されるＬＮＧは、その伝熱管で海水から潜熱を奪い、気化する。これによってＬＮＧの残冷熱が熱交換され、ライン６からのＬＮＧがトータルに気化する。
【００２９】
熱交換器１からのＮＧと、気化器２からのＮＧとは、合流してライン２０に流れ、ガスタービンの燃焼器に送られる。
【００３０】
ここで、各ラインにおける温度の関係を一例として示す。ＬＮＧが−１５７℃として、ライン７、１８には、ほぼこの温度でＬＮＧが流れる。熱交換器１では、２４℃の冷媒蒸気が供給され、ＬＮＧと熱交換してＬＮＧは５℃のＮＧとなる。液化した冷媒は５℃となり、熱交換器３に供給される。熱交換器３には、季節によって３０℃の燃焼用空気が供給され、冷媒との熱交換によって２４℃に低下した燃焼用空気がライン２２からガスタービンに供給される。ガスタービンには、合流した５℃のＮＧがライン２０から供給される。季節によって、熱交換器３に供給される燃焼用空気の温度が変動した場合、熱交換器１に分岐されるＬＮＧを増減することによって、容易にガスタービンに供給される燃焼用空気の温度を所定の範囲に保つことができる。
【００３１】
本実施の形態について説明したように本発明に係る液化ガスの気化装置では、燃焼用空気を冷却する冷媒の温度は、低温ではあっても５℃程度であり、潜熱として失われる熱量を考慮しても、燃焼用空気中の水分が氷結するといった不都合はない。
また、本実施の形態から了解されるように熱交換器１は、ＬＮＧの供給ラインと離して設置することができ、高温のガスタービンの近くまでこのようなＬＮＧの供給ラインを引き延ばす必要がない。
【００３２】
このように本発明によれば、液化ガスの持つ冷熱を支障なく活用して、燃焼用空気の温度を低下させ、ガスタービン発電機の出力を維持し、かつ液化ガスを効率的に液化できる。
【００３３】
本実施の形態では、オープンラック式の気化器（ＯＲＶ、Open-Rack-type Vaporizer）２を採用している。しかし、シェルアンドチューブ型の熱交換器を採用することも可能である。
シェルアンドチューブ型の熱交換器は、小型化が可能であり、ＬＮＧをＦＳＲＵ（Floating Storage and Regasification Unit）、ＦＰＳＯ（Floating Production, Storage and Offloading）といった洋上浮体、ＬＮＧ船等の船舶で再ガス化する際に有利である。
【００３４】
本発明に係る気化システム及び気化方法は、好適には、ＬＮＧを気化する形態であって、ＬＮＧの冷熱によりガスタービンの燃焼用空気を冷却するものに適用される。
【符号の説明】
【００３５】
１      熱交換器
２      気化器
３      熱交換器
４      冷媒タンク
５      冷媒冷却装置
６      ＬＮＧ流入ライン
１２    送出ポンプ
【図１】
2015064050.tif 000003